(57)【要約】【課題】広さの異なる空間が複数、組み合わされている注文住宅において、建築費が低廉で、耐震性に優れた構造とする。【解決手段】本発明の注文住宅は、広い主空間（１１）と狭い従空間（１２）とが、直交している縦方向の中心線（２）及び横方向の中心線（３）を対称軸として対称に配置され、予め設計された多種類の部屋から選択されることにより、設計されている。主空間（１１）と従空間（１２）の境界は、ラーメン構造あるいは軸組工法と壁パネル工法のそれぞれの長所を融合したモノコック構造、またはブレースドパネルを耐力壁とする構造によって構築されている。【選択図】　図１
2004044366.tif 000002
【特許請求の範囲】
【請求項１】
広さの異なる空間が複数、組み合わされている注文住宅であって、
同じ広さの空間同士が対称に配置され、
前記各空間が、予め設計された多種類の部屋から選択されることにより、設計されていることを特徴とする注文住宅。
【請求項２】
前記広さの異なる空間は、広い主空間と狭い従空間の２種類であり、
直交している縦方向の中心線及び／又は横方向の中心線を対称軸として、前記主空間と従空間とがそれぞれ対称に配置されていることを特徴とする請求項１に記載の注文住宅。
【請求項３】
前記各空間の境界は、ラーメン構造の柱と梁が構築されていることを特徴とする請求項１又は２に記載の注文住宅。
【請求項４】
前記各空間の境界は、軸組工法とパネル工法それぞれの長所を融合したモノコック構造の柱と梁とパネルが構築されていることを特徴とする請求項１又は２に記載の注文住宅。
【請求項５】
前記各空間の境界は、ブレースドパネルを耐力壁とする構造で構築されていることを特徴とする請求項１又は２に記載の注文住宅。
【請求項６】
前記構造は、インテリア性を考慮した鉄骨造であることを特徴とする請求項３に記載の注文住宅。
【請求項７】
前記構造は、インテリア性を考慮した木造であることを特徴とする請求項４に記載の注文住宅。
【請求項８】
前記構造は、インテリア性を考慮した軽量鉄骨組立構造であることを特徴とする請求項５に記載の注文住宅。
【請求項９】
広さの異なる空間を複数、組み合わせる注文住宅の設計方法であって、
同じ広さの空間同士を対称に配置し、
前記各空間は、予め設計された多種類の部屋から選択することにより、設計することを特徴とする注文住宅の設計方法。
【発明の詳細な説明】
【０００１】
【発明の属する技術分野】
本発明は、施主が部屋の間取りを設計する注文住宅に関し、詳しくは、建築費が低廉で、耐震性に優れた構造とした注文住宅に関する。
【０００２】
【従来の技術】
注文住宅は、施主が部屋の広さや配置を建築業者に要望し、建築業者が耐力壁線を考慮しながら設計する。耐力壁線とは、壁面を平面的に直線として見た壁線のうち、耐力壁を含むもののことをいい、耐力壁とは、建物に作用する水平力に対し主に抵抗する剪断耐力を期待する壁のことをいう。
【０００３】
例えば、特開９−４９３３８号には、複数の耐力壁線によって平面的に区画された区画内に一又は二以上の部屋を配置し、また各部屋をユニットで構成することも可能にした住宅が開示されている。
【０００４】
【発明が解決しようとする課題】
特開９−４９３３８号に開示された住宅は、耐力壁線によって平面的に区画された区画内に、部屋を配置するため、構造的制限はクリアするものの、耐震性について改めて設計しなければならないだけでなく、施主の要望する多種多様の部屋をユニットとして工場で量産することが困難で、住宅の建築費が高価になることがある。
【０００５】
そこで、本発明は建築費が低廉で、しかも耐震性に優れた構造とした注文住宅を提供することを目的とする。
【０００６】
【課題を解決するための手段】
本発明の注文住宅は、広さの異なる空間が複数、組み合わされている注文住宅であって、同じ広さの空間同士が対称に配置され、前記各空間が、予め設計された多種類の部屋から選択されることにより、設計されていることを要旨としている。
【０００７】
前記広さの異なる空間は、広い主空間と狭い従空間の２種類であり、直交している縦方向の中心線及び／又は横方向の中心線を対称軸として、前記主空間と従空間とがそれぞれ対称に配置されていることが好ましい。
【０００８】
前記各空間の境界は、ラーメン構造の柱と梁が構築されていることを要旨としている。
【０００９】
前記各空間の境界は、軸組工法とパネル工法それぞれの長所を融合したモノコック構造の柱と梁とパネルが構築されていることを要旨としている。
【００１０】
前記各空間の境界は、ブレースドパネルを耐力壁とする構造で構築されていることを要旨としている。
【００１１】
前記ラーメン構造の柱と梁は、インテリア性を考慮した鉄骨造であってもよい。
【００１２】
前記モノコック構造の境界は、インテリア性を考慮した木造であってもよい。
【００１３】
前記ブレースドパネル構造の境界は、インテリア性を考慮した軽量鉄骨組立構造であってもよい。
【００１４】
本発明の注文住宅の設計方法は、広さの異なる空間を複数、組み合わせる注文住宅の設計方法であって、同じ広さの空間同士を対称に配置し、前記各空間は、予め設計された多種類の部屋から選択することにより、設計することを要旨としている。
【００１５】
【発明の実施の形態】
本発明の注文住宅を図１及び図２を参照しながら説明する。本発明の注文住宅は広さの異なる空間（１０）が複数、組み合わされたものであり、同じ広さの空間同士が対称に配置されていることを特徴としている。広さの異なる空間（１０）は、広い主空間（１１）と狭い従空間（１２）の２種類であり、その主空間（１１）と従空間（１２）は、予め設計された多種類の部屋から選択されることによって設計される。広さの異なる空間（１０）を主空間（１１）と従空間（１２）の２種類に限定することにより、選択される部屋は限定して設計することができ、工場で量産することのできるユニットとすることも可能となる。また、主空間（１１）と従空間（１２）は、直交している縦方向の中心線（２）及び横方向の中心線（３）を対称軸として、対称にバランスよく配置され、耐震性に優れた構造とされている。
【００１６】
本発明の注文住宅は、例えば図１に示すように平面視が正方形のフロア１に、直交している縦方向の中心線（２）及び横方向の中心線（３）を対称軸として空間（１０）が３行３列に配置されている。縦方向の中心線（２）と横方向の中心線（３）が交叉する空間（１０）の中心部は共用空間（１３）とされ、この共用空間（１３）と隣り合って従空間（１２）が配置され、この従空間（１２）の両側に主空間（１１）が配置される。したがって、従空間（１２）も主空間（１１）も、縦方向の中心線（２）及び横方向の中心線（３）を対称軸として、配置されている。
【００１７】
また、共用空間（１３）も従空間（１２）も主空間（１１）も正方形であり、共用空間（１３）と主空間（１１）は縦横方向の中心線が交差する空間の中心部を共用空間としてとらえ、対称に組み合わされている。　本実施例では共用空間を主空間より大きくしているが、これに限定されない。
【００１８】
従空間（１２）は主空間（１１）及び共用空間（１３）よりも狭く、従空間（１２）の外壁（１２ａ）と主空間（１１）の外壁（１１ａ）とがフロア（１）の外周（１ａ）と同一ライン上に設定され、従空間（１２）の内側の間仕切り（１２ｂ）と共用空間（１３）の外周（１３ｂ）とが同一ライン上に設定されると、共用空間（１３）の外側の四隅と主空間（１１）の内側の角部（Ｘ）とが重なる。この重なった部分（ｘ）は、図１に示すように、主空間（１１）を９ｍ２とし共用空間を１６ｍ２とすると、１ｍ２となり、この（Ｘ）は主空間としてとらえることも、共用空間として捕らえることも可能で、夫々の部屋から見た場合に（Ｘ）部分を互いに自己の空間として捉えることが可能となり、実際の面積より広く感じる効果がある。
図１では、各ラインが明確となるように、隙間をあけて描いてある。
【００１９】
そして、主空間（１１）と従空間（１２）の境界は、耐力壁線（４）が設定され、この耐力壁線（４）にラーメン構造、あるいは軸組工法と壁パネル工法それぞれの長所を融合したモノコック構造、又はブレースドパネルを耐力壁とする構造を用いることができる。いずれも、主空間と従空間に開口部を設けることが可能で、その開口を避けて耐力壁の配置や大きさを決めることが可能となる。ここでモノコック構造とは、柱や梁、筋かいなどの軸材を中心に躯体を構成する一般の軸組工法とは違って、木材の軸材にさらに構造用合板を用い躯体を耐力壁・剛性床として、箱のようにモノコック化したものをさす。耐力壁線（４）は、対象に配置された主空間（１１）と従空間（１２）との境界に設定されるため、この柱と梁は、断面や長さを同じにした構造材を多数使用することができ、また継手などを共通して使用することができることにより、建築費の低廉化を図ることができる。なお、前記各空間の境界は構造的に耐力壁や構造柱を設置する必要のない場合、壁を構成するにあたり工法や材料は何であっても良い。
【００２０】
そして耐力壁線（４）は、共用空間（１３）内にも設定されるため、この梁は、共用空間（１３）内に架設される。ラーメン構造の場合は柱と梁とによって構築されているため、共用空間（１３）の天井に梁を架設することができる。梁が天井板で覆われずに露出する場合や、主空間（１１）と従空間（１２）との境界の仕切り壁（１４）がラーメン構造の梁や柱よりも狭く、梁や柱が露出する場合は、梁や柱はインテリア性を考慮した鉄骨造とする。同じくモノコック構造の場合は、インテリア性を考慮した木造とし、ブレースドパネルを耐力壁とする構造においては、インテリア性を考慮した軽量鉄骨組立構造とする。
【００２１】
共用空間（１３）は、ダイニングセットやテレビ、ピアノなどが設置され、居間などとして使用される。主空間（１１）は、予め設計された大きなキッチン、ユニットバスルーム、バスルームとトイレとを仕切って一体化したユニット、トイレと洗濯室とを仕切って一体化したユニット、大きな事務室、大きな子供部屋、大きな納戸、玄関、和室、寝室、あるいは大きな予備室などとして使用される比較的大きな部屋から施主が選択する。従空間（１２）は、予め設計された小さなキッチン、トイレ、小さなユニットバスルーム、洗濯室、小さな事務室、小さな子供部屋、ペットルーム、クローゼット、小さな納戸、バルコニー、テラス、曲折階段あるいは小さな予備室などとして使用される比較的小さな部屋から施主が選択する。
【００２２】
ここで、２階建ての注文住宅の一例を図２に示す。この注文住宅の１階は、図２（ａ）に示すように、共用空間（１３）がテーブルを設置するワークスペースとされ、主空間（１１）が玄関、ソファ室、キッチンとダイニングとのユニット、ユニットバスとトイレとクロークのユニットとされ、従空間（１２）がテラス、パソコンを設置する事務室、食器・食品庫、折曲階段とされている。
【００２３】
そして、２階は図２（ｂ）に示すように、共用空間（１３）が本棚、ピアノ、テレビそして寝椅子が設置される居間とされ、主空間（１１）がベッドルーム（３部屋）と和室とされ、従空間（１２）がバルコニー、クローゼット（２部屋）と折曲階段とされている。
１階も２階も主空間（１１）と従空間（１２）との境界はラーメン構造などの各種構造の柱と梁が配置されているため、いずれの主空間（１１）及び従空間（１２）も任意の位置に出入口が設けられ、開き戸又は引き戸が取り付けられている。
【００２４】
このように、施主は、予め設計された主空間（１１）及び従空間（１２）の部屋から任意に選択する、さらに構造も各種構造から任意に選択することによって、住宅を設計し、廉価に建築することができる。しかも、主空間（１１）及び従空間（１２）は、それぞれ対称にバランスよく配置され、その境界に各種構造の柱と梁が構築されているため、耐震性に優れた構造となっている。
【００２５】
なお、本発明は前記発明の実施の形態に限定することなく、特許請求の範囲に記載された技術的事項の範囲内において変更することができる。
【００２６】
例えば、本発明の注文住宅は図３に示すように、主空間（１１）と従空間（１２）とを隣り合わせて配置することもできる。このように、主空間（１１）と従空間（１２）が１フロア１に想定した縦方向の中心線（２）及び横方向の中心線（３）を対称軸に配置されれば、主空間（１１）と従空間（１２）の数は限定するものではない。そして、各種構造の柱と梁は、フロア（１）の広さに応じて、耐力壁線（４）を設定した主空間（１１）と従空間（１２）との境界だけでなく、隣り合っている主空間（１１）の境界の中心線（３）及び隣り合っている従空間（１２）の境界の中心線（２）に耐力壁線（４）を設定し、各種構造の柱と梁を構築することや、逆に、主空間（１１）と従空間（１２）との境界に耐力壁線（４）を設定せず、前記中心線（３）、（２）に耐力壁線（４）を設定し、各種構造の柱と梁を構築することもできる。
【００２７】
また、本発明の注文住宅は図４に示すように、主空間（１１）と従空間（１２）がフロア（１）の中心点（５）を中心に点対称に配置され、さらに長方形とすることもできる。そして図示しないが、広さの異なる空間は３種類以上とすることができる。さらに、本発明は施主が建築前から設計に参加することのできる集合住宅でも同様に実施することができる。
【００２８】
【発明の効果】
本発明によれば、同じ広さの空間同士が対称に配置されるため、部屋がバランスよく配置され、また各空間の境界に各種構造の柱と梁が構築されているため、耐震性に優れた構造とすることができる。したがって、本発明の注文住宅は、地震が発生しても倒壊することなく、安全性を確保することができる。
【図面の簡単な説明】
【図１】本発明の基本構成を示す平面図である。
【図２】本発明の注文住宅の一例を示す平面図である。
【図３】本発明の基本構成の変形例を示す平面図である。
【図４】本発明の基本構成の異なる変形例を示す平面図である。
【符号の説明】
２……中心線
３……中心線
１０……空間
１１……主空間
１２……従空間
Ｘ……角部
【図１】
2004044366.tif 000003
【図２】
2004044366.tif 000004
【図３】
2004044366.tif 000005
【図４】
2004044366.tif 000006